(57)【要約】【課題】搬送物の詰りを無くし安定的に搬送することが可能な搬送装置を提供する。【解決手段】この搬送装置８０のエプロンコンベア５０は、右スクレイパ５８ａが連続する右エプロン部５９ａと、左スクレイパ５８ｂが連続する左エプロン部５９ｂとが交互に搬送物を掻き取る。このため、搬送物の堆積状態がアンバランスとなり、詰りが発生し難い。また、供給ホッパ３０の供給口３９側の左右の側壁は一方が垂直部３４ａで他方が傾斜部３６で構成される。これにより堆積状態のアンバランスが助長され、搬送物の詰りをさらに防止することができる。【選択図】図３
2017145101.tif 000002
【特許請求の範囲】
【請求項１】
底面が開口した供給ホッパと、前記供給ホッパの下方に設けられたエプロンコンベアと、を有する搬送装置において、
前記エプロンコンベアは、両端部分に屹立したサイドウイングと長辺に略平行で中心から右側に設けられた右スクレイパとを有する右エプロンパンと、両端部分に屹立したサイドウイングと長辺に略平行で中心から左側に設けられた左スクレイパとを有する左エプロンパンと、で構成されるとともに、前記右エプロンパンが複数枚連続して連結した右エプロン部と、前記左エプロンパンが複数枚連続して連結した左エプロン部と、が交互に連結してなり、
さらに、前記供給ホッパの長辺方向の側壁は、底面側が垂直で上側が外側に傾斜した第１の側壁と、底面側が内側に傾斜した第２の側壁と、を有することを特徴とする搬送装置。
【請求項２】
供給ホッパ内の下流側に攪拌棒を有し、前記攪拌棒は第１の側壁の垂直部と第２の側壁の傾斜部に軸支されるとともに、前記供給ホッパ内の搬送物を下側から上側に掻き上げるように回転することを特徴とする請求項１記載の搬送装置。
【請求項３】
攪拌棒が上下方向に複数設けられ、前記攪拌棒の周面には長さの長い棒状突起と長さの短い棒状突起とが交互に設けられていることを特徴とする請求項２記載の搬送装置。
【請求項４】
請求項１乃至請求項３のいずれかに記載の搬送装置を２台並列に連結したことを特徴とする搬送装置。
【発明の詳細な説明】
【技術分野】
【０００１】
本発明は、主にバイオマス燃料や廃棄物固形燃料等の搬送装置に関するものである。
【背景技術】
【０００２】
近年、二酸化炭素排出量の削減や環境問題等の観点から、木質材料や畜産廃棄物を原料としたバイオマス燃料や、可燃性廃棄物を原料としたＲＤＦ（Ｒｅｆｕｓｅ  Ｄｅｒｉｖｅｄ  Ｆｕｅｌ）、ＲＰＦ（Ｒｅｆｕｓｅ  Ｐａｐｅｒ  ａｎｄ  Ｐｌａｓｔｉｃ  Ｆｕｅｌ）等の廃棄物固形燃料の利用が注目されている。これらバイオマス燃料や廃棄物固形燃料等の再生固形燃料は一般的にチップ状もしくはペレット状を呈しており、ボイラー等への燃焼機器への供給には供給ホッパを備えた搬送装置が多く用いられる。しかしながら、これら再生固形燃料は供給ホッパ内で詰まり易く、燃焼機器への安定的な搬送、供給が難しいという問題点がある。この問題点に関し、下記［特許文献１］にはコンベアの表面に突起を設けた移送コンベアが記載されている。
【先行技術文献】
【特許文献】
【０００３】
【特許文献１】特開２０１１−２３６０３４号公報
【発明の概要】
【発明が解決しようとする課題】
【０００４】
しかしながら、コンベアの表面に単純な突起を設けるのみでは、再生固形燃料の詰まりを完全に防止することは出来ず、再生固形燃料の安定的な搬送のためには更なる改善が望まれる。
【０００５】
本発明は上記事情に鑑みてなされたものであり、再生固形燃料の詰りを無くし安定的に搬送することが可能な搬送装置を提供することを目的とする。
【課題を解決するための手段】
【０００６】
本発明は、
（１）底面が開口した供給ホッパ３０と、前記供給ホッパ３０の下方に設けられたエプロンコンベア５０と、を有する搬送装置において、
前記エプロンコンベア５０は、両端部分に屹立したサイドウイング５６と長辺に略平行で中心から右側に設けられた右スクレイパ５８ａとを有する右エプロンパン５２ａと、両端部分に屹立したサイドウイング５６と長辺に略平行で中心から左側に設けられた左スクレイパ５８ｂとを有する左エプロンパン５２ｂと、で構成されるとともに、前記右エプロンパン５２ａが複数枚連続して連結した右エプロン部５９ａと、前記左エプロンパン５２ｂが複数枚連続して連結した左エプロン部５９ｂと、が交互に連結してなり、
さらに、前記供給ホッパ３０の長辺方向の側壁は、底面側が垂直（垂直部３４ａ）で上側が外側に傾斜（傾斜部３４ｂ）した第１の側壁３２ａと、底面側が内側に傾斜（傾斜部３６）した第２の側壁３２ｂと、を有することを特徴とする搬送装置８０を提供することにより、上記課題を解決する。
（２）供給ホッパ３０内の下流側に攪拌棒７０を有し、前記攪拌棒７０は第１の側壁３２ａの垂直部３４ａと第２の側壁３２ｂの傾斜部３６に軸支されるとともに、前記供給ホッパ３０内の搬送物を下側から上側に掻き上げるように回転することを特徴とする上記（１）記載の搬送装置８０を提供することにより、上記課題を解決する。
（３）攪拌棒７０が上下方向に複数設けられ、前記攪拌棒７０の周面には長さの長い棒状突起７４ａと長さの短い棒状突起７４ｂとが交互に設けられていることを特徴とする上記（２）記載の搬送装置８０を提供することにより、上記課題を解決する。
（４）上記（１）乃至（３）のいずれかに記載の搬送装置８０を２台並列に連結したことを特徴とする搬送装置８０’を提供することにより、上記課題を解決する。
【発明の効果】
【０００７】
本発明に係る搬送装置のエプロンコンベアは、右スクレイパが連続する右エプロン部と、左スクレイパが連続する左エプロン部とが交互に搬送物を掻き取る。このため、搬送物が詰り難く、搬送物を安定的に搬送することができる。
【図面の簡単な説明】
【０００８】
【図１】本発明に係る搬送装置の内部を側面方向から示す概略構成図である。
【図２】本発明に係る搬送装置の内部を正面側から示す概略構成図である。
【図３】本発明に係る搬送装置のエプロンパンを示す図である。
【図４】本発明に係る搬送装置のエプロンコンベアを説明する図である。
【図５】本発明に係る搬送装置の攪拌棒を説明する図である。
【図６】２台並列に連結した本発明に係る搬送装置を示す図である。
【発明を実施するための形態】
【０００９】
本発明に係る搬送装置８０の実施の形態について図面に基づいて説明する。ここで、図１は本発明に係る搬送装置８０の内部を側面方向から示した概略構成図である。また、図２は搬送装置８０の内部を正面側（搬出側）から示した概略構成図である。尚、ここでは搬送物として再生固形燃料を例に説明を行うが、搬送物は特に再生固形燃料に限定されるわけではなく、例えば飼料、肥料、各種原材料等、チップ状もしくはペレット状の全ての部材に適用することが可能である。
【００１０】
本発明に係る搬送装置８０は、再生固形燃料等の搬送物が投入される供給ホッパ３０と、この供給ホッパ３０の下に位置しエプロンコンベア５０を備えた搬送部６０とで主に構成されている。そして、供給ホッパ３０は、上部に位置する直胴部３８と、短辺側の２つの側壁と長辺側の第１の側壁３２ａと第２の側壁３２ｂとで構成される本体部３２と、底面が開口した供給口３９と、を有している。そして、第１の側壁３２ａは底面側（下側）が垂直な垂直部３４ａと、この垂直部３４ａの上に位置し外側に拡がるように傾斜した傾斜部３４ｂとで構成されている。また、第２の側壁３２ｂは少なくとも底面側が内側に傾斜した傾斜部３６を有している。尚、図２では第２の側壁３２ｂの全体が傾斜部３６で構成されているが、第２の側壁３２ｂは少なくとも第１の側壁３２ａの垂直部３４ａと対向する部位が傾斜部３６となっていれば良い。
【００１１】
また、供給ホッパ３０の下に位置する搬送部６０は、エプロンコンベア５０と、このエプロンコンベア５０を回転して搬送動作させる駆動モータ６２と、この駆動モータ６２の回転駆動力を所定のギア比で減速しエプロンコンベア５０に伝達する伝達部６４と、を有している。
【００１２】
次に、本発明に係る搬送装置８０のエプロンコンベア５０に関して説明する。先ず、本発明のエプロンコンベア５０を構成するエプロンパンは、図３（ａ）に示す右エプロンパン５２ａと、図３（ｂ）に示す左エプロンパン５２ｂと、で構成される。尚、図３及び後述の図４中の白抜き矢印はエプロンコンベア５０の搬送方向を示す。そして、右エプロンパン５２ａは、細長い板状のパン本体部５４と、このパン本体部５４の略両端部分に屹立したサイドウイング５６と、パン本体部５４の長辺と略平行で中心から右側の部分に屹立して設けられた右スクレイパ５８ａと、を有している。また、左エプロンパン５２ｂは、細長い板状のパン本体部５４と、このパン本体部５４の略両端部分に屹立したサイドウイング５６と、パン本体部５４の長辺と略平行で中心から左側の部分に屹立して設けられた左スクレイパ５８ｂと、を有している。尚、エプロンパンのサイドウイング５６は、連結時に部分的に重なり合ってエプロンコンベア５０の側方を閉塞するよう、斜めもしくは段差を持って形成される。
【００１３】
そして、エプロンコンベア５０は図４に示すように、右エプロンパン５２ａが複数枚連続して連結した右エプロン部５９ａと、左エプロンパン５２ｂが複数枚連続して連結した左エプロン部５９ｂとが交互に連結して構成される。尚、右エプロンパン５２ａ及び左エプロンパン５２ｂの連続枚数は装置規模やエプロンコンベア５０の長さ等によっても異なるが各３枚〜８枚ずつが好ましく、３枚〜５枚ずつが特に好ましい。
【００１４】
さらに、本発明に係る搬送装置８０は供給ホッパ３０内の下流側（搬出側）に攪拌棒７０を有していても良い。尚、攪拌棒７０は上下方向に複数設けることが好ましく、特に２本設けることが最も好ましい。さらに、攪拌棒７０は供給ホッパ３０の下側に設けることが好ましく、よって攪拌棒７０は第１の側壁３２ａの垂直部３４ａと、第２の側壁３２ｂの傾斜部３６で軸支することが好ましい。また、攪拌棒７０の回転方向は図１の白抜き矢印で示すように供給ホッパ３０内の搬送物を下側から上側に掻き上げるように回転させることが好ましい。尚、攪拌棒７０の回転は搬送部６０の駆動モータ６２により行うことが設備構成上好ましい。
【００１５】
次に、この攪拌棒７０に関して図５を用いて更に詳しく説明する。攪拌棒７０は、図５（ａ）に示すように供給ホッパ３０の第１の側壁３２ａの垂直部３４ａと第２の側壁３２ｂの傾斜部３６とで軸支された回転軸７２と、この回転軸７２の周面から突出した棒状突起７４ａ、７４ｂとを有している。そして、本発明の攪拌棒７０としては、長さの長い棒状突起７４ａと長さの短い棒状突起７４ｂとを角度を変えて交互に設けたものを用いることが特に好ましい。このような攪拌棒７０としては、図５（ｂ）に示すように、長さの長い棒状突起７４ａを回転軸７２の同一平面上に３本放射状に設置し、この棒状突起７４ａから所定の間隔をとるとともに図５（ｃ）に示すように長さの短い棒状突起７４ｂを６０°ずらして３本放射状に設置し、これらを交互に設けたものが好適である。また、複数の攪拌棒７０を設置する場合には、図５（ａ）に示すように、棒状突起７４ａ、７４ｂの位置を上下の攪拌棒７０の間で半ピッチずらして設け、棒状突起７４ａ、７４ｂの位置が上下の攪拌棒７０のそれぞれの間に位置するようすることが好ましい。
【００１６】
また、多量の搬送物を搬送する場合、図６に示すように本発明に係る搬送装置８０を２台並列に連結して大容量の搬送装置８０’としても良い。この構成では、供給ホッパ３０の容量がほぼ２倍となることに加え、搬送能力の上限も約２倍に向上する。
【００１７】
次に、本発明に係る搬送装置８０の動作を説明する。先ず、供給ホッパ３０に再生固形燃料等の搬送物を投入する。次に、搬送装置８０を起動する。これにより、搬送部６０の駆動モータ６２が駆動する。この駆動モータ６２の回転駆動力は伝達部６４によって所定のトルクに減速された後、エプロンコンベア５０に伝達される。これにより、エプロンコンベア５０が回転し、供給ホッパ３０の供給口３９から搬送物を所定量連続的に搬送する。
【００１８】
このとき、本発明に係る搬送装置８０のエプロンコンベア５０は、右エプロンパン５２ａが複数枚連続した右エプロン部５９ａと、左エプロンパン５２ｂが複数枚連続した左エプロン部５９ｂとが交互に連結して構成されているため、右エプロン部５９ａと左エプロン部５９ｂとが供給ホッパ３０内の搬送物を右側、左側と交互に掻き取るように動作する。ここで、スクレイパが左右に分かれておらず、長辺方向に沿った一枚の板の場合、搬送物を左右均等に掻き取るため、掻き取り部分の搬送物のみが搬送され従来と同様に搬送物が詰まることが考えられる。また、右エプロンパン５２ａ、左エプロンパン５２ｂを１枚ずつ交互に連結した場合でも、搬送物は略均等に掻き取られて搬送物が詰まる可能性がある。これに対し本発明に係るエプロンコンベア５０は、前述のように右エプロンパン５２ａが複数枚連続したある程度の長さを有する右エプロン部５９ａと、左エプロンパン５２ｂが複数枚連続したある程度の長さを有する左エプロン部５９ｂとが交互に連結されている。これにより、右エプロン部５９ａはその長さの分連続して供給ホッパ３０の右側の搬送物を掻き取り、左エプロン部５９ｂはその長さ分連続して供給ホッパ３０の左側の搬送物を掻き取る。そして、これらの動作が交互に行われることにより、供給ホッパ３０の搬送物は右、左、右、左と交互に掻き取られ、堆積状態がその都度、左右でアンバランスとなる。またこの際、左右の搬送物の間には剪断的な力が働く。これらの左右交互の掻き取りと、それに伴う搬送物の堆積状態のアンバランス及び剪断的な応力の発生等により搬送物の詰りは防止され、本発明に係る搬送装置８０は搬送物を安定的に搬送、供給することができる。
【００１９】
またさらに、本発明に係る搬送装置８０は供給ホッパ３０の供給口３９側の左右の側壁が一方は垂直部３４ａで構成され他方が傾斜部３６で構成される。このため、搬送物の滑りやエプロンコンベア５０からの掻き取り力の伝達が左右で異なり、これが搬送物のアンバランスさをさらに助長する。これにより、搬送物の詰りをさらに防止することができる。
【００２０】
また、上記の駆動モータ６２の回転駆動力は攪拌棒７０に伝達され、攪拌棒７０を回転させる。ここで、エプロンコンベア５０の搬送動作により供給ホッパ３０内の搬送物は、概ね図１中の黒矢印で示すように上流側から先に搬送される。このため攪拌棒７０が無い場合、供給ホッパ３０の下流側の下部、即ち、図１中のＡ領域で搬送物が圧縮されて高密度となり、これが詰りの一因となる。この点、本発明に係る搬送装置８０は、この部分に攪拌棒７０を備えている。また、これら攪拌棒７０は上下方向に複数設けられるとともに、搬送物を下側から上側に掻き上げるように回転する。これにより、Ａ領域の搬送物は上方向に掻き上げられ圧縮することがない。また、この攪拌棒７０による掻き上げ動作により、搬送物は供給ホッパ３０内でエプロンコンベア５０の回転方向とは逆方向の好ましい対流が生じる。これにより、搬送物の詰りはより一層防止される。
【００２１】
尚、エプロンコンベア５０にて定量的に搬送された搬送物は、エプロンコンベア５０の終端にて落下し、排出口１２を通して外部に排出される。排出された搬送物は例えば別のベルトコンベアやスクリューコンベアにてボイラー等の燃焼機器やその他の設備機械機器の投入口へと搬送される。
【００２２】
以上のように、本発明に係る搬送装置８０のエプロンコンベア５０は、右スクレイパ５８ａが連続する右エプロン部５９ａと、左スクレイパ５８ｂが連続する左エプロン部５９ｂとが交互に搬送物を掻き取る。このため、搬送物の堆積状態がアンバランスとなり、詰りが発生し難い。また、供給ホッパ３０の供給口３９側の左右の側壁は一方が垂直部３４ａで他方が傾斜部３６で構成される。これにより堆積状態のアンバランスが助長され、搬送物の詰りをさらに防止することができる。またさらに、本発明に係る搬送装置８０は供給ホッパ３０内の下流側に攪拌棒７０を有している。そして、この攪拌棒７０が搬送物を下側から上側に掻き上げるように回転することで、供給ホッパ３０内において搬送物に好ましい対流を生じさせる。これにより、搬送物の詰りをより一層防止することができる。そして、本発明に係る搬送装置８０は上記の構成を備えることにより、搬送物を詰まらせることなく設備機械機器側に安定的に搬送、供給することができる。
【００２３】
尚、本例で示した搬送装置８０、８０’の構成は一例であり、各部材の形状、寸法、動作機構等は、本発明の要旨を逸脱しない範囲で変更して実施することが可能である。
【符号の説明】
【００２４】
３０    供給ホッパ
３２ａ  第１の側壁
３２ｂ  第２の側壁
３４ａ  垂直部
３４ｂ  （第１の側壁の）傾斜部
３６    （第２の側壁の）傾斜部
５０    エプロンコンベア
５２ａ  右エプロンパン
５２ｂ  左エプロンパン
５６    サイドウイング
５８ａ  右スクレイパ
５８ｂ  左スクレイパ
５９ａ  右エプロン部
５９ｂ  左エプロン部
７０    攪拌棒
７４ａ、７４ｂ  棒状突起
８０、８０’  搬送装置
【図１】
2017145101.tif 000003
【図２】
2017145101.tif 000004
【図３】
2017145101.tif 000005
【図４】
2017145101.tif 000006
【図５】
2017145101.tif 000007
【図６】
2017145101.tif 000008